(57)【特許請求の範囲】
【請求項１】
互いに直交する３つの反射面を有する電波反射膜と、該電波反射膜を３次元的に展開させる展開装置とを備えたコーナーリフレクタであって、
前記電波反射膜の展開と同時に展開する傘体を備え、
前記展開装置は、展開時に環状に膨張する環状中空バルーンであり、
前記傘体は、前記展開時において前記環状中空バルーンの外壁に沿う半球形状であり、前記電波反射膜の一部に覆い被さるように前記環状中空バルーンの前記外壁に接続している、ことを特徴とするコーナーリフレクタ。
【請求項２】
前記環状中空バルーンは、可撓性と気密性を有し、内部にガスが供給されるとガス圧で膨張して環状になり、
さらに前記環状中空バルーンにガスを注入するガス供給装置を備える、ことを特徴とする請求項１に記載のコーナーリフレクタ。
【請求項３】
前記ガス供給装置は、前記環状中空バルーン及び前記傘体の重心から落下方向に下ろした垂線と前記環状中空バルーンの表面との交点付近において前記環状中空バルーンと接続され、
前記環状中空バルーンの膨張時には落下姿勢を安定させるためのウエイトとして機能する、ことを特徴とする請求項２に記載のコーナーリフレクタ。
【発明の詳細な説明】
【技術分野】
【０００１】
本発明は、電波を反射することで、おとり（デコイ）などとして機能するコーナーリフレクタに関する。
【背景技術】
【０００２】
コーナーリフレクタについては、例えば、特許文献１に記載されている。特許文献１のコーナーリフレクタは、図１の構成を有する。コーナーリフレクタは、図１のように、互いに直交する３つの電波反射膜２１を８組有する。これにより、コーナーリフレクタに対し、どの角度から電波が入射してきても、コーナーリフレクタによって、電波を入射してきた方向に反射することができる。
例えば、図２のように、電波Ａと電波Ｂのいずれについても、互いに直交する電波反射膜２１により、入射してきた方向に反射することができる。【０００３】
コーナーリフレクタは、飛翔体、船、地上などから放出され、その後、空中や水上で図１の形状に展開する。そのために、コーナーリフレクタは、例えば、図１の例のように、バルーン２３を有する。このバルーン２３は、膨張すると球形となる。この膨張により、各電波反射膜２１が図１のように展開するように電波反射膜２１がバルーン２３の内部に取り付けられている。なお、図１の例では、ボンベ２５がバルーン２３内にガスを供給することで、バルーンを球形に膨張させる。【０００４】
上述のような構成により、例えば、空中で展開したコーナーリフレクタに、追尾用レーダ装置やミサイルのレーダシーカから電波が入射すると、コーナーリフレクタは、図２のように電波を入射してきた方向に反射することができる。これにより、コーナーリフレクタをレーダのおとりにすることができる。【０００５】
なお、本願の他の先行技術文献として、下記２件の特許文献がある。
【先行技術文献】
【特許文献】
【０００６】
【特許文献１】特開平０４−３５５３８８号公報
【特許文献２】特開平０９−１９０５８５号公報
【発明の概要】
【発明が解決しようとする課題】
【０００７】
上記特許文献に記載されているようなコーナーリフレクタについて、長時間敵を欺瞞するために、空中に浮遊する時間を長くするための工夫が必要である。
この点に対して、図３Ａのようにコーナーリフレクタをパラシュートに吊るして降下させる方法や図３Ｂのようにそれ自体を軽量化したコーナーリフレクタが用いられている。
図３Ａは、発射台２を有した艦艇１が、飛翔体３を放出してから、パラシュート５及びコーナーリフレクタ４が展開されるまでの図である。
この図において、飛翔体３から、パラシュート５及びコーナーリフレクタ４が放出された後、適切なタイミングでコーナーリフレクタ４の展開が行われる。【０００８】
図３Ｂは、それ自体を軽量化して空気抵抗を利用して降下速度の抑制を図ったコーナーリフレクタの図である。
この図において、図３Ａの場合と同様に発射及び展開された後、コーナーリフレクタ６は、３次元的に展開を行うために、従来、元の形状に復元させる支持構造（軸７ａ、７ｂ、７ｃ）に電波反射膜８が張られている。かかる構成によって、展開を終えたコーナーリフレクタ６は、空気抵抗を利用することで降下速度の抑制を図り自由落下する構成になっている。【０００９】
しかし、パラシュートを用いる場合は、速度抑制が可能であるが、パラシュートの分の収容容積が大きくなってしまうという問題点があり、また、吊索が絡み合って適切に展開しないことも考えられる。
また、上記自由落下の場合は、電波反射面はフラットであるために十分な速度抑制は困難であるという問題点があった。【００１０】
そこで、本発明の目的は、降下速度の抑制と構造簡易化を両立させたコーナーリフレクタを提供することにある。
【課題を解決するための手段】
【００１１】
上記目的を達成するため、本発明によると、互いに直交する３つの反射面を有する電波反射膜と、該電波反射膜を３次元的に展開させる展開装置とを備えたコーナーリフレクタであって、
前記電波反射膜の展開と同時に展開する傘体を備え、
前記展開装置は、展開時に環状に膨張する環状中空バルーンであり、
前記傘体は、前記展開時において前記環状中空バルーンの外壁に沿う半球形状であり、前記電波反射膜の一部に覆い被さるように前記環状中空バルーンの前記外壁に接続している、ことを特徴とするコーナーリフレクタが提供される。
【００１２】
本発明の実施形態によれば、前記環状中空バルーンは、可撓性と気密性を有し、内部にガスが供給されるとガス圧で膨張して環状になり、
さらに前記環状中空バルーンにガスを注入するガス供給装置を備える。
【００１３】
また、前記ガス供給装置は、前記環状中空バルーン及び前記傘体の重心から落下方向に下ろした垂線と前記環状中空バルーンの表面との交点付近において前記環状中空バルーンと接続され、
前記環状中空バルーンの膨張時には落下姿勢を安定させるためのウエイトとして機能する。
【発明の効果】
【００１５】
本発明によると、コーナーリフレクタに直接取り付けた傘体によって降下速度を抑制でき、また、吊索がないため絡みによって適切に展開しないという状況を避けることができる。
さらに、ガスボンベを適切な位置に配置することによって落下姿勢を安定させることができる。
【図面の簡単な説明】
【００１６】
【図１】特許文献１のコーナーリフレクタの構成を示す。
【図２】コーナーリフレクタの作用を説明する図である。
【図３Ａ】パラシュートに吊す従来のコーナーリフレクタの図である。
【図３Ｂ】それ自体を軽量化した従来のコーナーリフレクタの図である。
【図４】本発明のコーナーリフレクタを示す斜視図である。
【発明を実施するための形態】
【００１７】
以下、本発明の好ましい実施形態を、図面を参照して説明する。なお、各図において共通する部分には同一の符号を付し、重複した説明を省略する。
【００１８】
図４は、本発明のコーナーリフレクタを示す斜視図である。
この図において、本発明のコーナーリフレクタ１１は、互いに直交する３つの反射面を有する電波反射膜１１ａと、電波反射膜１１ａを３次元的に展開させる展開装置１１ｂとを備える。
本発明のコーナーリフレクタ１１は、さらに、電波反射膜１１ａの展開と同時に展開する傘体１２を備える。傘体１２は、電波反射膜１１ａの一部に覆い被さるように展開装置１１ｂと接続している。
【００１９】
展開装置１１ｂは、この例では、展開時に膨張する中空バルーンである。
なお、展開装置１１ｂは、中空バルーンに限定されず、形状記憶合金又はワイヤで構成し、折りたたみ状態を解除することにより、展開させる装置であってもよい。
【００２０】
電波反射膜１１ａは、この例において、導電性繊維で形成されている。
導電性繊維は、例えば、ナイロンやポリエステルの繊維に金属膜（銅、銀など）をコーティングしたものであってよい。
この例において、電波反射膜１１ａは、１２枚の扇形（中心角が９０°）の膜からなり、上記膨張時には平面が互いに直交するように組まれる構造になっている。この構造によって、中空バルーン１１ｂの膨張時には互いに直交する３つの電波反射膜１１ａからなる反射領域が、合計８組設けられることになる。
なお、図４において、各線部分１１ｃは、複数の電波反射膜１１ａ同士の結合部分である。
また、好ましくは中空バルーン１１ｂの膨張時において、各電波反射膜１１ａの外周が、中空バルーン１１ｂに密着する形になるように設計されていることが望ましい。
【００２１】
中空バルーン１１ｂは、ガス圧によって膨張し、電波反射膜を展開するようになっている。
【００２２】
中空バルーン１１ｂは、この例では可撓性と気密性を有し、内部にガスが供給されると、ガス圧で膨張して環状になる環状中空バルーンである。
環状中空バルーン１１ｂを使用することによって、例えば、球状バルーンに比べ格段に少ないガス量でコーナーリフレクタ１１を展開することが可能になる。
そのため、コーナーリフレクタ１１の展開に要する時間を短縮することができるというメリットがある。
なお、中空バルーン１１ｂは、ポリオレフィン、ナイロン、ポリ塩化ビニルなどのプラスチックフィルムで形成されてよい。
【００２３】
また、好ましくは、中空バルーン１１ｂの外周を拘束用繊維で包むことによって、中空バルーン１１ｂが所定の限界体積以上に膨張することを抑制することが望ましい。
【００２４】
傘体１２は、この例においては、展開時においては半球形状であり、中空バルーン１１ｂの外壁に接続しており、中空バルーン１１ｂの膨張に伴って展開される。
中空バルーン１１ｂの形状が球状でない場合においては、傘体１２は、中空バルーン１１ｂの外壁に沿う形状からなるものであってもよい。
【００２５】
傘体１２は、従来技術で使用されていたパラシュートと比較して吊索がないため、絡みによって展開しないといったリスクを排除することができる。
また、中空バルーン１１ｂの膨張によって強制的かつ速やかに開傘することができる。
更に、傘体１２には薄く軽量な布を用いることで、収容容積を抑制することができるというメリットがある。
なお、傘体１２は、従来のパラシュートで用いられているナイロン等を材質にしている。
【００２６】
ガス供給装置１３は、コーナーリフレクタ１１が艦艇等から発射された飛翔体から放出されたことを契機に、中空バルーン１１ｂにガスを注入して膨張させ、同時に傘体１２も展開させる。
【００２７】
ガス供給装置１３は、この例ではガスボンベであり、中空バルーン１１ｂの膨張及び傘体１２の展開時に、中空バルーン１１ｂ及び傘体１２の重心から落下方向に下ろした垂線と中空バルーン１１ｂの表面との交点付近を接続部１４として、中空バルーン１１ｂと接続している。
かかる位置において接続していることによって、ガスの注入後もガスボンベ１３をコーナーリフレクタ１１の姿勢安定用ウエイトとして機能させることができる。
また、ガスボンベ１３のガスを分岐若しくは複数のガスボンベを用い、ホースなどによってバルーンの任意かつ複数の部位からガスを注入し、速やかなバルーン膨張を図っても良い。
なお、ガス供給装置１３は、ガスボンベに限定されず、ガス発生剤によってガスを発生させ、そのガスで中空バルーン１１ｂを膨張させる構成であってもよい。
【００２８】
この例において、ガスボンベ１３は、コーナーリフレクタ１１が飛翔体から放出されたことを契機にガスを注入しているが、飛翔体から放出されてから一定時間経過後にガスの注入を開始する形、または、遠隔操作によってガスの注入を開始する形でもよい。
【００２９】
ガス供給装置（図示しない）は、例えば、火薬を用いたガスジェネレータやガスボンベなどであってよく、所定のタイミングで、中空バルーン１１ｂ内にガスが供給するように作動させられる。
【００３０】
本発明は上述した実施の形態に限定されず、本発明の要旨を逸脱しない範囲で種々変更を加え得ることは勿論である。
本発明のコーナーリフレクタ１１は、デコイとして用いる以外の用途にも使用してもよい。例えば、本発明のコーナーリフレクタ１１を、特許文献２のように、遭難者の居場所を知らせるために使用してもよい。
また、本発明の傘体１２については、中空バルーン以外のバルーン（例えば球状バルーン）についても使用することが可能である。なお、球体バルーンにおいては、電波反射膜８をバルーン内部において取り付けられる。
【符号の説明】
【００３１】
１  艦艇、２  発射台、３  飛翔体、４  コーナーリフレクタ、
５  パラシュート、６  コーナーリフレクタ、７ａ〜７ｃ  軸、
８  電波反射膜、１１  コーナーリフレクタ、１１ａ  電波反射膜、
１１ｂ  展開装置（中空バルーン、環状中空バルーン）、
１１ｃ  結合部分、
１２  傘体、１３  ガス供給装置（ガスボンベ）、１４  接続部、
２１  電波反射膜、２３  バルーン、２５  ボンベ
【図１】
0006042811.tif 000002
【図２】
0006042811.tif 000003
【図３Ａ】
0006042811.tif 000004
【図３Ｂ】
0006042811.tif 000005
【図４】
0006042811.tif 000006